(57)【特許請求の範囲】
【請求項１】
メインバッテリと、
前記メインバッテリから電力供給を受ける電気部品を内部に備えた装置本体と、
前記メインバッテリと前記電気部品とを接続する電力供給ラインと、
を備え、
前記装置本体に対して前記メインバッテリが着脱可能に構成された携帯端末であって、  前記メインバッテリが前記装置本体から取り外されたときに、前記電気部品に対して電力を供給し得るサブバッテリと、
前記サブバッテリと前記電力供給ラインとを接続する接続ラインと、
前記接続ラインを通電状態と非通電状態とに切り替えるスイッチ手段と、
前記電力供給ラインにおいて前記メインバッテリ及び前記サブバッテリによる共通の電力路となるように構成された共通ラインの電圧に基づいて前記スイッチ手段を制御する制御手段と、
を備え、
前記メインバッテリが取り外され且つ前記スイッチ手段がオフ状態となっている初期状態において前記サブバッテリによる電力供給が遮断されるように構成され、
前記初期状態から前記メインバッテリが装着された装着状態に変化したときに前記共通ラインが電圧上昇することに基づき、前記制御手段が前記スイッチ手段をオン状態に制御し、前記サブバッテリから前記電気部品に対して電力供給が可能となり、
前記装着状態において前記スイッチ手段がオン状態に制御されたとき、前記メインバッテリにより前記サブバッテリが充電されるようになっており、
前記共通ラインには、補助電源としてのコンデンサが接続されており、
前記初期状態から前記装着状態に変化したときに、前記メインバッテリから前記コンデンサに対して電流が供給され、且つ前記メインバッテリから前記コンデンサに対して電流供給が開始された後の前記共通ラインの電圧上昇に基づき、前記制御手段により前記スイッチ手段がオン状態に制御されることを特徴とする携帯端末。
【請求項２】
前記メインバッテリ及び前記サブバッテリから前記電気部品に対して供給される電力の低下状態を検出する検出手段と、
前記検出手段によって前記低下状態が検出された場合に、前記コンデンサの電力を用いて前記電気部品に対する所定の保護動作を行う保護動作手段と、
を備えたことを特徴とする請求項１に記載の携帯端末。
【請求項３】
前記電気部品は記憶手段からなり、
前記保護動作手段は、前記記憶手段に記憶されるデータを消去する消去手段からなることを特徴とする請求項２に記載の携帯端末。
【請求項４】
前記共通ラインは、ダイオードを介在させて前記電気部品に接続され、前記ダイオードのアノード側において前記接続ラインに接続される第１共通ラインが設けられ、前記ダイオードのカソード側において前記電気部品に接続される第２共通ラインが設けられ、前記第１共通ラインから前記第２共通ライン側に一方向に電流を流す構成をなしており、
前記制御手段は、前記第１共通ラインの電圧に基づいて前記スイッチ手段を制御する構成をなし、
前記コンデンサは、前記第２共通ラインに接続され、
前記検出手段は、前記第１共通ラインにおいて前記低下状態を検出する構成をなしており、
前記保護動作手段は、前記第１共通ラインが前記低下状態となったときに、前記コンデンサによる電力を用いて前記保護動作を行うことを特徴とする請求項２又は請求項３に記載の携帯端末。
【請求項５】
前記初期状態から前記装着状態に変化したときに、前記メインバッテリから前記コンデンサに対して電流が供給され、且つ前記メインバッテリから前記コンデンサに対して電流供給が開始された後の前記共通ラインの電圧上昇に基づき、前記制御手段により前記スイッチ手段がオン状態に制御されるようになっており、
更に、前記装着状態から前記メインバッテリが取り外された非装着状態に変化したときには、前記サブバッテリからの電力が前記電気部品に供給され、
前記制御手段は、前記非装着状態において、前記サブバッテリにより電力供給される前記共通ラインの電圧レベルが所定の低レベル状態となった場合に前記スイッチ手段をオフ状態に変化させ、
前記検出手段は、前記非装着状態で前記スイッチ手段がオフ状態とされることによって生じる前記低下状態を検出することを特徴とする請求項２から請求項４のいずれか一項に記載の携帯端末。
【発明の詳細な説明】
【技術分野】
【０００１】
本発明は、携帯端末に関するものである。
【背景技術】
【０００２】
従来より、バーコードリーダ等の光学的情報読取装置や決済端末などの分野では使用者が携帯して利用できる携帯端末が広く用いられており、このような携帯端末では着脱可能なバッテリを備えた構成が一般的である。なお、特許文献１は、充電可能な電池（バッテリ）に関する技術の一例であり、この特許文献１では、２電源を切り替えて使用する技術が開示されている。
【特許文献１】特開平１０−１１２９３９
【発明の開示】
【発明が解決しようとする課題】
【０００３】
ところで、上記携帯端末ではバッテリを取り外した状態でもある程度電気部品を動作させることが望まれている。このような要望に応えるためには、例えば、メインバッテリとサブバッテリとを設け、メインバッテリについては頻繁に着脱できるように構成し、サブバッテリについては基本的に常設して用いるようにするとよい。即ち、メインバッテリが取り外されたときに、サブバッテリから電気部品に対して電力を供給できるようにすればメインバッテリ取り外し中であっても必要な動作を行うことができるようになる。
【０００４】
しかしながら、このように２種類のバッテリを用いる携帯端末を構成しようとした場合、電気部品を装置内部に組み付ける際に不具合が生じる懸念がある。例えば、電気部品が実装された回路基板にサブバッテリを組み付けてこれを装置本体に装着しようとした場合、サブバッテリの電力が回路基板各部に供給された状態で組立作業を行わなければならず、このような状態で組立作業を行うと、静電気などの影響により素子破壊等の不具合が生じる虞がある。なお、このような問題は、サブバッテリを装置内部においてより奥深い場所に配置しようとするほど顕著となる。即ち、セキュリティ等を考慮してサブバッテリをより奥深い場所に配置しようとするほど後からの組み付けが困難となり、予めサブバッテリを回路基板等に組み付けておく必要が生じる。このような問題を回避するためには、サブバッテリを回路基板等に組み付けた状態で当該サブバッテリによる電力供給を一時的に遮断できるようにしておくことが望ましい。
【０００５】
また、このような場合以外にも、サブバッテリの電力供給を一時的に遮断すべき要請がある。例えば、バッテリからの電力供給ラインにコンデンサが接続され、バッテリからの通電によって当該コンデンサを充電する構成の場合、当該コンデンサの容量によっては初期チャージにおいてバッテリからコンデンサに大電流が流れることとなる。このような構成の場合、サブバッテリの定格最大放電電流が小さく、メインバッテリの定格最大放電電流が大きいときには、初期状態においてサブバッテリからの電力供給を一時的に遮断し、メインバッテリによって初期チャージを行なった後に遮断を解除するような構成が望ましい。
【０００６】
本発明は、上述した課題を解決するためになされたものであり、メインバッテリを取り外し、サブバッテリを取り付けた初期状態で、サブバッテリの電力供給を一時的に遮断しうる構成を提供することを目的とする。
【課題を解決するための手段】
【０００７】
上記目的を達成するため、請求項１の発明は、メインバッテリと、前記メインバッテリから電力供給を受ける電気部品を内部に備えた装置本体と、前記メインバッテリと前記電気部品とを接続する電力供給ラインと、を備え、前記装置本体に対して前記メインバッテリが着脱可能に構成された携帯端末であって、前記メインバッテリが前記装置本体から取り外されたときに、前記電気部品に対して電力を供給し得るサブバッテリと、前記サブバッテリと前記電力供給ラインとを接続する接続ラインと、前記接続ラインを通電状態と非通電状態とに切り替えるスイッチ手段と、前記電力供給ラインにおいて前記メインバッテリ及び前記サブバッテリによる共通の電力路となるように構成された共通ラインの電圧に基づいて前記スイッチ手段を制御する制御手段と、を備え、前記メインバッテリが取り外され且つ前記スイッチ手段がオフ状態となっている初期状態において前記サブバッテリによる電力供給が遮断されるように構成され、前記初期状態から前記メインバッテリが装着された装着状態に変化したときに前記共通ラインが電圧上昇することに基づき、前記制御手段が前記スイッチ手段をオン状態に制御し、前記サブバッテリから前記電気部品に対して電力供給が可能となり、前記装着状態において前記スイッチ手段がオン状態に制御されたとき、前記メインバッテリにより前記サブバッテリが充電されるようになっており、前記共通ラインには、補助電源としてのコンデンサが接続されており、前記初期状態から前記装着状態に変化したときに、前記メインバッテリから前記コンデンサに対して電流が供給され、且つ前記メインバッテリから前記コンデンサに対して電流供給が開始された後の前記共通ラインの電圧上昇に基づき、前記制御手段により前記スイッチ手段がオン状態に制御されることを特徴とする。
【００１０】
請求項２の発明は、請求項１に記載の携帯端末において、前記メインバッテリ及び前記サブバッテリから前記電気部品に対して供給される電力の低下状態を検出する検出手段と、前記検出手段によって前記低下状態が検出された場合に、前記コンデンサの電力を用いて前記電気部品に対する所定の保護動作を行う保護動作手段と、を備えたことを特徴とする
【００１１】
請求項３の発明は、請求項２に記載の携帯端末において、前記電気部品は記憶手段からなり、前記保護動作手段は、前記記憶手段に記憶されるデータを消去する消去手段からなることを特徴とする。
【００１２】
請求項４の発明は、請求項２又は請求項３に記載の携帯端末において、前記共通ラインは、ダイオードを介在させて前記電気部品に接続され、前記ダイオードのアノード側において前記接続ラインに接続される第１共通ラインが設けられ、前記ダイオードのカソード側において前記電気部品に接続される第２共通ラインが設けられ、前記第１共通ラインから前記第２共通ライン側に一方向に電流を流す構成をなしており、前記制御手段は、前記第１共通ラインの電圧に基づいて前記スイッチ手段を制御する構成をなし、前記補助電源は、前記第２共通ラインに接続され、前記検出手段は、前記第１共通ラインにおいて前記低下状態を検出する構成をなしており、前記保護動作手段は、前記第１共通ラインが前記低下状態となったときに、前記コンデンサによる電力を用いて前記保護動作を行うことを特徴とする。
【００１３】
請求項５の発明は、請求項２から請求項４のいずれか一項に記載の携帯端末において、前記初期状態から前記装着状態に変化したときに、前記メインバッテリから前記コンデンサに対して電流が供給され、且つ前記メインバッテリから前記コンデンサに対して電流供給が開始された後の前記共通ラインの電圧上昇に基づき、前記制御手段により前記スイッチ手段がオン状態に制御されるようになっており、更に、前記装着状態から前記メインバッテリが取り外された非装着状態に変化したときには、前記サブバッテリからの電力が前記電気部品に供給され、前記制御手段は、前記非装着状態において、前記サブバッテリにより電力供給される前記共通ラインの電圧レベルが所定の低レベル状態となった場合に前記スイッチ手段をオフ状態に変化させ、前記検出手段は、前記非装着状態で前記スイッチ手段がオフ状態とされることによって生じる前記低下状態を検出することを特徴とする。
【発明の効果】
【００１４】
請求項１の発明では、メインバッテリが取り外され且つスイッチ手段がオフ状態となっている初期状態においてサブバッテリによる電力供給を一時的に遮断できるようになる。従って、初期状態においてサブバッテリにより電気部品に電力が供給され続けることに起因する不具合を効果的に抑えることができる。また、初期状態から装着状態に変化したときの共通ラインの電圧上昇に基づいて制御手段によりスイッチ手段がオン状態に制御され、サブバッテリから電気部品に対して電力供給が可能となるように構成されている。従って、メインバッテリ装着後には上記一時的遮断を解除でき、サブバッテリを有効に機能させることができる。
【００１５】
請求項２の発明では、装着状態においてスイッチ手段がオン状態に制御されたとき、メインバッテリによりサブバッテリが充電されるようになっている。従って、メインバッテリを用いてサブバッテリの充電を好適に行うことができ、サブバッテリを装置内部に長期間設置し続けても支障のない構成となる。
【００１６】
請求項３の発明では、初期状態から装着状態に変化した直後、サブバッテリからの電力供給を一時的に遮断した状態でメインバッテリからコンデンサに対して電流が供給されるようになっている。このようにすれば、サブバッテリによるコンデンサの初期チャージを抑えることができ、メインバッテリのみによってコンデンサの初期チャージを行うことができる。なお、このような構成は、サブバッテリからの大電流を抑えたい場合に特に有利となる。また、メインバッテリからコンデンサに対して電流供給が開始された後の共通ラインの電圧上昇に基づいてスイッチ手段がオン状態に制御されるようになっている。従って、ある程度初期チャージがなされた後にはサブバッテリが有効に機能することとなる。
【００１７】
請求項４の発明では、メインバッテリ及びサブバッテリから電気部品に対して供給される電力の低下状態を検出できるように構成し、電力低下状態が検出された場合に、補助電源の電力を用いて電気部品に対する所定の保護動作を行うようにしている。このようにすれば、メインバッテリ及びサブバッテリからの電力が低下した場合（例えば電力供給が遮断された場合）であっても電気部品に対して適切な保護動作を行うことができ、供給電力低下に伴う不具合を効果的に防止できる。
【００１８】
請求項５の発明では、電気部品が記憶手段からなり、保護動作手段が記憶手段に記憶されるデータを消去する消去手段によって構成されている。このようにすれば、メインバッテリやサブバッテリの電力供給が低下し、不安定な状態となったときでも記憶手段に記憶されるデータを確実に消去できるようになる。
【００１９】
請求項６の発明では、共通ラインがダイオードを介在させて電気部品に接続され、接続ラインに接続される第１共通ラインから電気部品に接続される第２共通ライン側に一方向に電流を流す構成となっている。このようにすれば、メインバッテリ及びサブバッテリからの電力が低下した場合に、第１共通ライン側に補助電源からの電力が回り込まなくなり、第１共通ラインの電力状態とメインバッテリ及びサブバッテリからの電力供給状態とが対応したものとなる。即ち、第１共通ラインの電力低下状態を検出することによりメインバッテリ及びサブバッテリからの電力低下状態を検出できることとなり、その検出結果に基づき、補助電源による電力を用いて好適に保護動作を行うことができる。
【００２０】
請求項７の発明では、初期状態から装着状態に変化した直後、サブバッテリからの電力供給を一時的に遮断した状態でメインバッテリからコンデンサに対して電流が供給されるようになっている。このようにすれば、サブバッテリによるコンデンサの初期チャージを抑えることができ、メインバッテリのみによってコンデンサの初期チャージを行うことができる。なお、このような構成は、サブバッテリからの大電流を抑えたい場合に特に有利となる。
また、メインバッテリからコンデンサに対して電流供給が開始された後の共通ラインの電圧上昇に基づいてスイッチ手段がオン状態に制御されるようになっている。従って、ある程度初期チャージがなされた後にはサブバッテリが有効に機能することとなる。
更に、非装着状態に変化したときには、サブバッテリからの電力が電気部品に供給されるようになっているため、メインバッテリが頻繁に取り外されたとしても、サブバッテリの電力を用いて電気部品を良好に動作できるようになる。
更には、非装着状態において、サブバッテリにより電力供給される共通ラインの電圧レベルが所定の低レベル状態となるか否かを検出しており、所定の低レベル状態となった場合にスイッチ手段をオフ状態に変化させている。このようにすると、非装着状態でサブバッテリの電圧が低下したときに共通ラインを安定的に遮断状態とすることができるため、電力低下状態を確実に把握できるようになる。
【発明を実施するための最良の形態】
【００２１】
[第１実施形態]
以下、本発明の携帯端末を具現化した第１実施形態について、図面を参照して説明する。図１は、本発明の第１実施形態に係る携帯端末を概略的に例示するブロック図である。また、図２は、図１の携帯端末の装置本体にメインバッテリを装着する構成を概略的に説明する説明図である。
１．全体構成
まず、図１、図２を参照して携帯端末１の全体構成について説明する。
図１に示す携帯端末１は、例えばバーコードリーダ、二次元コードリーダ等の光学的情報読取装置、或いはＩＣカード等を読み取る決済端末などとして構成されるものである。なお、以下では光学的情報読取装置に適用される場合を例に挙げて説明する。
図１、図２に示すように、携帯端末１は、装置本体２とメインバッテリ３とを備えてなるものであり、装置本体２に対してメインバッテリ３が着脱可能に構成されている。装置本体２は、ケース２ａによって外郭が構成されると共に、このケース２ａの内部においてメインバッテリ２から電力供給を受ける各種電気部品（図１のＲＡＭ１５等、図２では図示略）が収容された構成をなしている。
【００２２】
図２は、装置本体２内におけるメインバッテリ３の装着例を示しており、図２の例では、メインバッテリ３が、装置本体２に形成された箱状の収容部２ｂに収容されて保持される構成となっている。この例では、装着時には、収容部２ｂが電池蓋２ｃによって閉塞されて装置本体２内にメインバッテリ３が保持され、取り外し時には電池蓋２ｃを二点鎖線のように開放して収容部２ｂを露出させることでメインバッテリ３を外部に取り外すことができるようになる。なお、本実施形態では、携帯端末１におけるメインバッテリ２以外の本体部分を装置本体２としている。
【００２３】
メインバッテリ３は、リチウムイオン電池、ニッケル水素電池、ニッケルカドミウム電池等の二次電池によって構成されており、後述するサブバッテリ５よりも放電容量が大きいものが用いられている。メインバッテリ３には電源回路としてレギュレータ１７が接続されており、このレギュレータ１７から電力供給ライン３０に対して定電圧が出力されている。電力供給ライン３０は、サブバッテリ５によって電力供給を受ける電気部品に電力を供給する第一電力ライン３０ａと、サブバッテリ５から電力供給を受けない他部品に電力を供給する第二電力ライン３０ｂとからなり、いずれのラインに対してもメインバッテリ３から電力が供給されるようになっている。
【００２４】
電力供給ライン３０の一部をなす第一電力ライン３０ａには、ダイオード１９と、抵抗２１が直列に接続されており、レギュレータ１９側から負荷（ＲＡＭ１５等）側に一方向に電流が流れる構成となっている。電力供給ライン３０において接続位置Ｐ１から負荷側に向けて共通ライン４０が配置されている。この共通ライン４０は、メインバッテリ３及びサブバッテリ５による共通の電力路となるように構成された部分であり、ダイオード１１を介して電気部品（図１ではＲＡＭ１５を例示）に接続されており、ダイオード１１よりも上流側（メインバッテリ３側）が第１共通ライン４１とされ、ダイオード１１よりも下流側（ＲＡＭ１５側）が第２共通ライン４２とされている。
【００２５】
第一電力ライン３０ａにおいてダイオード１１よりも上流側（メインバッテリ３側）には、接続ライン４５が接続されており、この接続ライン４５の先には一対のコネクタ６ａ、６ｂを介してサブバッテリ５が接続されている。一方のコネクタ６ａは、例えば回路基板１０の基板本体に実装されており、他方のコネクタ６ｂは、接続ライン４５におけるコネクタ６ｂとサブバッテリ５の間の部分は、可撓性を有する電線コードによって構成されており、回路基板１０と回路基板１０外に配置されるサブバッテリ５とを電気的に接続している。
【００２６】
サブバッテリ５は、例えば、リチウムイオン電池、ニッケル水素電池、ニッケルカドミウム電池等の二次電池によって構成されており、上記メインバッテリ３よりも放電容量が小さく、サイズが小さいものが用いられている。このサブバッテリ５は、例えば、回路基板１０の基板本体と、ケース２ａとに挟まれて両側を遮蔽された状態で装置本体２内に収容されており、回路基板１０をケース２ａから取り外さないと着脱ができない構成となっている。逆に言えば、回路基板１０をケース２ａから取り外す分解作業を行うことで、サブバッテリ５及びコネクタ６ａ、６ｂを外部に露出させることができ、サブバッテリ５の取り外し作業を行うことができるようになっている。
【００２７】
接続ライン４５は、後述のスイッチＳＷを介在させた状態でサブバッテリ５と電力供給ライン３０（具体的には第一電力ライン３０ａ）とを接続しており、スイッチＳＷがオン状態のときにサブバッテリ５と電力供給ライン３０を導通させる構成をなっている。このサブバッテリ５は、このような接続ライン４５を介して接続位置Ｐ１において電力供給ライン３０に接続されているため、スイッチＳＷがオン状態となっていれば後述するＲＡＭ１５等の電気部品に電力を供給し得ることとなり、特に、メインバッテリ３が装置本体２から取り外されたとしても、ＲＡＭ１５等の電気部品に対して単独で電力を供給し得る構成となっている。
【００２８】
スイッチＳＷは、例えばアナログスイッチによって構成されており、接続ライン４５を通電状態（接続位置Ｐ１とサブバッテリ５間の通電が可能となる状態）と非通電状態（接続位置Ｐ１とサブバッテリ５間の通電が遮断される状態）とに切り替えるように機能する。具体的にはスイッチＳＷは後述する電圧検出回路７からのオン動作信号（例えばＨレベル信号）に応じてオン状態となり、電圧検出回路７からオフ動作信号（例えばＬレベル信号）が出力されている場合にオフ状態となるように構成されている。
【００２９】
電力供給ライン３０における共通ライン４０には、電圧検出回路７が接続されている。この電圧検出回路７は、第一電力ライン３０ａと接続ライン４５との接続位置Ｐ１と後述する接続位置Ｐ２の間（即ち、第１共通ライン４１における接続位置Ｐ１と接続位置Ｐ２の間）の位置Ｐ３において接続されており、この接続位置Ｐ３の電圧レベルを閾値と比較してオン動作信号とオフ動作信号を切り替える構成となっている。具体的には、例えば、接続位置Ｐ３の電圧が予め定められた閾値Ｖｓ１以上の場合にオン動作信号（Ｈレベル信号）が出力され、Ｖｓ１未満の場合にオフ動作信号（Ｌレベル信号）が出力される構成となっている。或いは、接続位置Ｐ３の電圧レベルが閾値Ｖｓ１以上の場合にオン動作信号（Ｈレベル信号）を出力し、閾値Ｖｓ２未満のときにオフ動作信号（Ｌレベル信号）を出力する構成であってもよい。上記電圧検出回路７は、具体的には、公知のボルテージディテクタＩＣなどによって好適に実現できる。或いは、接続位置Ｐ３の電圧レベルを閾値Ｖｓ１と比較するコンパレータや、接続位置Ｐ３の電圧レベルを上記閾値Ｖｓ１、Ｖｓ２と比較するヒステリシスコンパレータなどによって簡易に実現してもよい。
【００３０】
上述のように共通ライン４０は、ダイオード１１を介してＲＡＭ１５等の電気部品に接続されており、ダイオード１１の下流側の第２共通ライン４２においてダイオード１１と電気部品（図１ではＲＡＭ１５）との間には、コンデンサ９が接続されている。このコンデンサ９は例えば公知のスーパキャパシタなどによって構成されており、メインバッテリ３からの電力を受けて充電され、メインバッテリ３及びサブバッテリ５からの電力供給が遮断されたときにＲＡＭ１５等の電気部品の補助電源として機能するように構成されている。即ち、コンデンサ９が「補助電源」の一例に相当している。
【００３１】
また、ダイオード１１の上流側の第１共通ライン４１において接続位置Ｐ３（電圧検出回路７による電圧検出位置）とダイオード１１との間には検出ライン４７が接続されている。この検出ライン４７は、後述する制御回路１３の端子（具体的にはＣＰＵの端子）に接続されており、第１共通ライン４１の電圧レベルが所定の低レベル状態であるか否かを制御回路１３によって判断するためのラインとして機能する。
【００３２】
２．動作説明
次に、携帯端末１の動作について説明する。
本実施携帯に係る携帯端末１では、図３に示す初期状態においてサブバッテリ５からの電力供給が遮断されるようになっている。この「初期状態」とは、メインバッテリ３が取り外され且つスイッチＳＷがオフ状態となっている状態を意味している。この「初期状態」は、例えば製品出荷前の組立工程や、メンテナンス時の組立工程、解析工程などにおいて生じる状態であり、これらの工程では、回路基板１０の電気部品或いはその近辺で各種作業を行ったり、他部位の作業中に電気部品等に接触する可能性があるため、静電気等に起因する不具合を防止すべく電気部品への電力供給を遮断しておきたいという要請がある。本実施形態の携帯端末１では、図３のように、初期状態においてはスイッチＳＷがオフ状態となっているため、まずサブバッテリ５からの電力供給が遮断される。このとき、第１共通ライン４１は電力遮断状態となっているため接続位置Ｐ３の電圧レベルはゼロレベルに維持され続け（即ち、接続位置Ｐ３の電圧レベルが閾値Ｖｓ１（電圧検出回路７におけるオン動作信号を出力するための閾値）を超えることはなく）、電圧検出回路７からオン動作信号が出力されることはない。従って、サブバッテリ５からの電力供給をスイッチＳＷで遮断した状態が安定的に維持され、スイッチＳＷの下流側の各電気部品に対してサブバッテリ５から電力が供給されなくなり、上記不具合が効果的に抑えられることとなる。
【００３３】
次に、携帯端末１が、上記初期状態（図３）からメインバッテリ３が装着された装着状態に変化したときの動作を説明する。図３に示す初期状態から、図４のような装着状態に変化したとき、その装着直後は、スイッチＳＷが遮断されているため、共通ライン４０は、一時的にメインバッテリ３によって通電された状態となる。上述のように共通ライン４０にはコンデンサ９が接続されているため、初期状態から装着状態に変化した直後は、メインバッテリ３からコンデンサ９に対して電流が供給され始める。なお、初期状態では通常、コンデンサ９の放電が完了しているため（或いは放電途中であるため）、メインバッテリ３装着直後はこのメインバッテリ３からコンデンサ９に対して初期チャージ電流が流れることとなる（矢印Ａ１参照）。
【００３４】
そして、メインバッテリ３からコンデンサ９に対して電流供給が開始された後、コンデンサ９の充電に伴って共通ライン４０における接続位置Ｐ３の電圧レベルが上昇し、この接続位置Ｐ３の電圧レベルが閾値Ｖｓ１（電圧検出回路７からオン動作信号が出力される閾値）を超えるまで上昇すると、電圧検出回路７からオン動作信号が出力される（矢印Ａ２参照）。スイッチＳＷは、このオン動作信号を受けてオフ状態からオン状態に切り替わることとなる。このように、初期状態から装着状態に変化したときには、共通ライン４０の電圧上昇に基づいて電圧検出回路７がスイッチＳＷをオン状態に制御し、メインバッテリ３によりサブバッテリ５を充電できるようになる（矢印Ａ３参照）。
【００３５】
次に、図４の装着状態から再びメインバッテリ３が取り外された状態（非装着状態）に変化したときの動作について説明する。図４の装着状態から、図５のようにメインバッテリ３が取り外されて非装着状態に変化すると、メインバッテリ３からの電力供給は遮断されるため、サブバッテリ５からの電力がＲＡＭ１５等の電気部品に供給されることとなる（矢印Ｂ１参照）。この電力供給は、サブバッテリ５の残存容量がある程度低下するまで持続する。
【００３６】
そして、サブバッテリ５の残存容量がある程度低下すると、接続端子Ｐ３の電圧レベルが低下するため、接続端子Ｐ３の電圧レベルがある閾値まで低下すると電圧検出回路７からオフ動作信号が出力される。例えば、オフ動作信号を出力する閾値が上記Ｖｓ１と同一ならば接続端子Ｐ３の電圧レベルが閾値Ｖｓ１以下となったときにオフ動作信号が出力され、或いは上記のようにオフ動作信号の閾値Ｖｓ２が別途設定されている場合にはこの閾値Ｖｓ２以下となったときにオフ動作信号が出力される（矢印Ｂ２参照）。これにより、スイッチＳＷがオフ状態となり、サブバッテリ５から共通ライン４０への電力供給が遮断される。このように、電圧検出回路７は、非装着状態において、サブバッテリ５により電力供給される共通ライン４０の電圧レベルが所定の低レベル状態（具体的には接続位置Ｐ３の電圧レベルが閾値以下となる状態）となった場合にスイッチＳＷをオフ状態に変化させるように機能し、これにより、サブバッテリ５の容量が低下したときにサブバッテリ５からの電力供給を完全に遮断できるようになっている。
【００３７】
本実施形態では、図５のように、共通ライン４０は、ダイオード１１を介在させてＲＡＭ１５等の電気部品に接続され、ダイオード１１のアノード側において第１共通ライン４１が設けられ、ダイオード１１のカソード側においてＲＡＭ１５等の電気部品に接続される第２共通ライン４２が設けられており、第１共通ライン４１から第２共通ライン４２側に一方向に電流を流す構成となっている。この構成では、図５の非装着状態でサブバッテリ５からの電力供給が遮断されると、第１共通ライン４１の電圧レベルがゼロレベルとなる。一方、第２共通ライン４２には上述のコンデンサ９が接続されているため、サブバッテリ５からの電力供給が遮断された場合には、コンデンサ９から第２供給ライン４２に供給される電力によってＲＡＭ１５、制御回路１３等が駆動されることとなる。
【００３８】
また、コンデンサ９からの電流は、第１共通ライン４１側に流れないようになっているため、コンデンサ９からの電力によって第１共通ライン４１の電圧が上昇することはなく、スイッチＳＷが遮断された場合には、第１共通ライン４１の電圧がゼロレベルに維持される。一方、制御回路１３は、検出ライン４７を介して第１共通ライン４１に接続されており、非装着状態でスイッチＳＷがオフ状態とされることによって生じる低下状態（即ち、第１共通ライン４１の電圧レベルがＬレベルとなる状態）を検出できるようになっている。制御回路１３は、ＣＰＵを備えており、端子Ｔに入力される電圧レベルがＬレベルであるか否かを検出している。なお、制御回路１３は、「検出手段」の一例に相当し、メインバッテリ３及びサブバッテリ５から電気部品に対して供給される電力の低下状態を検出するように機能する。また、本実施形態では、第１共通ライン４１の電圧レベルがＬレベルと判断される電圧状態が「電力の低下状態」に相当する。
【００３９】
制御回路１３は、端子Ｔの電圧レベルをＬレベルと判断した場合（第１共通ライン４１の電圧レベルをＬレベルと判断した場合）、コンデンサ９の電力を用いてＲＡＭ１５に記憶されたデータを消去する消去動作を行っている。具体的には、制御回路１３からＲＡＭ１５に対して消去指令がなされ、この消去指令を受けてＲＡＭ１５に記憶されるデータが消去される。なお、本実施形態では、制御回路１３が「保護動作手段」「消去手段」の一例に相当し、電気部品に対する所定の保護動作（ここではＲＡＭ１５に対する消去動作）を行うように機能する。また、ここでは、記憶手段（ＲＡＭ１５）を消去する消去動作が「所定の保護動作」の一例に相当する。
【００４０】
以上説明した本実施形態の構成によれば、例えば以下の効果を奏することとなる。
メインバッテリ３が取り外され且つスイッチＳＷ（スイッチ手段）がオフ状態となっている初期状態においてサブバッテリ５による電力供給を一時的に遮断できるようになる。従って、初期状態においてサブバッテリ５によりＲＡＭ１５等の電気部品に電力が供給され続けることに起因する不具合を効果的に抑えることができる。また、初期状態から装着状態に変化したときの共通ライン４０の電圧上昇に基づいて電圧検出回路７によりスイッチＳＷがオン状態に制御され、サブバッテリ５からＲＡＭ１５等の電気部品に対して電力供給が可能となるように構成されている。従って、メインバッテリ３装着後には上記一時的遮断を解除でき、サブバッテリ５を有効に機能させることができる。
【００４１】
また、装着状態においてスイッチＳＷがオン状態に制御されたとき、メインバッテリ３によりサブバッテリ５が充電されるようになっている。従って、メインバッテリ３を用いてサブバッテリ５の充電を好適に行うことができ、サブバッテリ５を装置内部に長期間設置し続けても支障のない構成となる。
【００４２】
また、初期状態から装着状態に変化した直後、サブバッテリ５からの電力供給を一時的に遮断した状態でメインバッテリ３からコンデンサ９に対して電流が供給されるようになっている。このようにすれば、サブバッテリ５によるコンデンサ９の初期チャージを抑えることができ、メインバッテリ３のみによってコンデンサ９の初期チャージを行うことができる。なお、このような構成は、サブバッテリ５からの大電流を抑えたい場合に特に有利となる。また、メインバッテリ３からコンデンサ９に対して電流供給が開始された後の共通ライン４０の電圧上昇に基づいてスイッチＳＷがオン状態に制御されるようになっている。従って、ある程度初期チャージがなされた後にはサブバッテリ５が有効に機能することとなる。
【００４３】
また、メインバッテリ３及びサブバッテリ５からＲＡＭ１５等の電気部品に対して供給される電力の低下状態を検出できるように構成し、電力低下状態が検出された場合に、補助電源の電力を用いて電気部品に対する所定の保護動作を行うようにしている。このようにすれば、メインバッテリ３及びサブバッテリ５からの電力が低下した場合（例えば電力供給が遮断された場合）であっても電気部品に対して適切な保護動作を行うことができ、供給電力低下に伴う不具合を効果的に防止できる。
【００４４】
また、「電気部品」が「記憶手段」からなり、「保護動作手段」が記憶手段に記憶されるデータを消去する「消去手段」によって構成されている。このようにすれば、メインバッテリ３やサブバッテリ５の電力供給が低下し、不安定な状態となったときでも記憶手段（ＲＡＭ１５）に記憶されるデータを確実に消去できるようになる。
【００４５】
また、共通ライン４０がダイオード１１を介在させてＲＡＭ１５等の電気部品に接続され、接続ライン４５に接続される第１共通ライン４１から電気部品に接続される第２共通ライン４２側に一方向に電流を流す構成となっている。このようにすれば、メインバッテリ３及びサブバッテリ５からの電力が低下した場合に、第１共通ライン４１側にコンデンサ９（補助電源）からの電力が回り込まなくなり、第１共通ライン４１の電力状態とメインバッテリ３及びサブバッテリ５からの電力供給状態とが対応したものとなる。即ち、第１共通ライン４１の電力低下状態を検出することによりメインバッテリ３及びサブバッテリ５からの電力低下状態を検出できることとなり、その検出結果に基づき、補助電源による電力を用いて好適に保護動作を行うことができる。
【００４６】
また、装着状態から非装着状態に変化したとき（即ち、メインバッテリ３が取り外されたとき）には、サブバッテリ５からの電力がＲＡＭ１５等の電気部品に供給されるようになっているため、メインバッテリ３が頻繁に取り外されたとしても、サブバッテリ５の電力を用いてＲＡＭ１５等の電気部品を良好に動作できるようになる。
更には、非装着状態において、サブバッテリ５により電力供給される共通ライン４０の電圧レベルが所定の低レベル状態となるか否かを検出しており、所定の低レベル状態となった場合にスイッチＳＷをオフ状態に変化させている。このようにすると、非装着状態でサブバッテリ５の電圧が低下したときに共通ライン４０を安定的に遮断状態とすることができるため、電力低下状態を確実に把握できるようになる。
【００４７】
［他の実施形態]
本発明は上記記述及び図面によって説明した実施形態に限定されるものではなく、例えば次のような実施形態も本発明の技術的範囲に含まれる。
【００４８】
上記実施形態では、電気部品の例としてＲＡＭ１５を例示したがこれ以外の記憶手段（例えばＥＥＰＲＯＭ等の不揮発性メモリなど）であってもよい。
【００４９】
上記実施形態では、補助電源の一例としてコンデンサを例示したがこれ以外の電源（例えばリチウムイオン電池等の二次電池など）であってもよい。
【００５０】
上記実施形態では、「所定の保護動作」として「記憶手段に記憶されるデータを消去する消去動作」を行ない、サブバッテリ５の残存容量低下時のセキュリティ性を高めていたが、これ以外の保護動作であってもよい。例えば、「所定の保護動作」として、揮発性メモリ（ＲＡＭ等）に記憶されるデータを不揮発性メモリ（ＥＥＰＲＯＭ等）に記憶してデータのバックアップを行うバックアップ動作であってもよい。
【図面の簡単な説明】
【００５１】
【図１】図１は、本発明の第１実施形態に係る携帯端末についての電気的構成を概略的に例示するブロック図である。
【図２】図２は、図１の携帯端末の装置本体に対するメインバッテリの装着例を示す断面概略図である。
【図３】図３は、図１の携帯端末の初期状態を例示するブロック図である。
【図４】図４は、図１の携帯端末が初期状態から装着状態に変化したときの動作を説明する説明図である。
【図５】図５は、図１の携帯端末が装着状態から非装着状態に変化したときの動作を説明する説明図である。
【符号の説明】
【００５２】
１…携帯端末
２…装置本体
３…メインバッテリ
５…サブバッテリ
７…電圧検出回路（制御手段）
９…コンデンサ（補助電源）
１１…ダイオード
１３…制御回路（検出手段、保護動作手段、消去手段）
１５…ＲＡＭ（電気部品、記憶手段）
３０…電力供給ライン
４０…共通ライン
４１…第１共通ライン
４２…第２共通ライン
４５…接続ライン
ＳＷ…スイッチ（スイッチ手段）
【図１】
0004831090.tif 000002
【図２】
0004831090.tif 000003
【図３】
0004831090.tif 000004
【図４】
0004831090.tif 000005
【図５】
0004831090.tif 000006